(57)【要約】【課題】複数方向に異なる表示出力を行なう場合の文字欠けや潰れに対処すること。【解決手段】運転者用入出力制御手段１１ａが運転者への表示出力である運転者用表示出力を作成し、非運転者用入出力制御手段１１ｂが非運転者への表示出力である非運転者用表示出力を作成する。この運転者用表示出力および非運転者用表示出力に含まれる文字情報を抽出し、文字情報処理部３３が文字の縦横比の変更、フォントの変更、専用表示器であるサブディスプレイ４３への表示、音声読み上げによるスピーカ４２からの出力を行なう。【選択図】        図１
2006267437.tif 000002
【特許請求の範囲】
【請求項１】
表示出力を行なう表示装置であって、
複数方向にそれぞれ異なる表示出力を行なう表示処理手段と、
前記表示出力から抽出された特定の情報の出力態様を変更する特定情報処理手段と、
を備えたことを特徴とする表示装置。
【請求項２】
前記特定の情報は文字情報であることを特徴とする請求項１に記載の表示装置。
【請求項３】
前記特定情報処理手段は、予め抽出された文字情報を取得することを特徴とする請求項２に記載の表示装置。
【請求項４】
前記特定情報処理手段は、表示出力から画像処理によって文字情報を抽出することを特徴とする請求項２または３に記載の表示装置。
【請求項５】
前記特定情報処理手段は、前記文字情報を専用フォントによって出力することを特徴とする請求項２，３または４に記載の表示装置。
【請求項６】
前記特定情報処理手段は、表示出力に含まれる文字情報について常に専用フォントによる出力を行なうことを特徴とする請求項５に記載の表示装置。
【請求項７】
前記特定情報処理手段は、前記表示処理手段が複数方向にそれぞれ異なる表示出力を行なう場合に前記専用フォントによって前記文字情報を出力し、前記表示処理手段が単一の表示出力を行なう場合には通常のフォントによって前記文字情報を出力することを特徴とする請求項５に記載の表示装置。
【請求項８】
前記特定情報処理手段は、前記文字情報を音声によって出力することを特徴とする請求項２〜７のいずれか一つに記載の表示装置。
【請求項９】
前記特定情報処理手段は、前記特定の情報の縦横比を変化させることを特徴とする請求項１〜８のいずれか一つに記載の表示装置。
【請求項１０】
前記特定情報処理手段は、前記特定の情報のうち、重要度の高い情報を選択的に表示することを特徴とする請求項１〜９のいずれか一つに記載の表示装置。
【請求項１１】
前記特定情報処理手段は、経路案内に関連するキーワードおよび／または車両に関連するキーワードを重要度の高い情報とすることを特徴とする請求項１０に記載の表示装置。
【請求項１２】
前記特定情報処理手段は、前記特定の情報を所定表示領域の範囲内で表示することを特徴とする請求項１〜１１のいずれか一つに記載の表示装置。
【請求項１３】
前記特定情報処理手段は、前記特定の情報を専用の表示器に表示することを特徴とする請求項１〜１２のいずれか一つに記載の表示装置。
【請求項１４】
前記特定情報処理手段は、他の機器が表示を要求した割り込み表示要求に対して前記出力態様の変更を実行することを特徴とする請求項１〜１３のいずれか一つに記載の表示装置。
【請求項１５】
前記特定情報処理手段は、前記割り込み表示要求を関連する方向にのみ出力することを特徴とする請求項１４に記載の表示装置。
【請求項１６】
車両に搭載され、運転席方向を含む複数方向にそれぞれ異なる表示出力を行なうことを特徴とする請求項１〜１５のいずれか一つに記載の表示装置。
【発明の詳細な説明】
【技術分野】
【０００１】
この発明は、特に車両の乗員に対する表示出力をおこなう車載表示装置に有用で、特に複数の方向にそれぞれ異なる表示出力を行なう表示装置に関するものである。
【背景技術】
【０００２】
従来、車両の乗員に対して画像や映像の表示出力を行なう車載表示装置が利用されてきた。この車載表示装置は、自車両の経路案内において使用することを目的として採用されたものであるが、近年、経路案内のみならず他の用途、例えば特許文献１に開示されるような車載テレビ装置や、オーディオ装置、ＤＶＤ再生装置などの表示手段としても使用されている。
【０００３】
このように車載表示装置の利用用途が拡大したことで、表示出力が対象とする利用者も変化している。すなわち、経路案内に使用する場合、その利用者は主に運転者となるのであるが、テレビなどの表示出力においては助手席や後部座席などに着座した乗員（非運転者）が利用者となる場合がある。
【０００４】
ここで運転者に対する表示出力は、その運転操作を阻害しない範囲で行なう必要があり、車両走行中にテレビ出力やＤＶＤの再生などを行なうことは好ましくない。そこで例えば特許文献２は、液晶シャッターを使用して運転席側からの視認を阻害可能とした車載表示装置を開示している。
【０００５】
また、特許文献３および特許文献４は、運転者用と非運転者用にそれぞれ個別の表示出力を行ない、例えば運転者への経路案内の表示と、非運転者への娯楽情報（テレビやＤＶＤなど）を同時に実行する技術を公開している。
【０００６】
【特許文献１】特開２００３−２４４５９１号公報
【特許文献２】特開２００３−１５５３５号公報
【特許文献３】特開２０００−１３７４４号公報
【特許文献４】特開２００４−２０６０８９号公報
【発明の開示】
【発明が解決しようとする課題】
【０００７】
しかしながら、上述の特許文献４に示されるような２視野ディスプレイでは、ディスプレイ上の表示素子を運転席側と助手席側とに振り分けて表示を行なうので、視野ごとの表示における解像度は、通常の半分になる（１ラインおきの表示になる）。そのため、文字などが欠けた、もしくは潰れた表示となり、認識しづらくなるという問題点があった。尚、同様の問題はホーム用などの表示装置にもある。
【０００８】
この発明は、上述した従来技術における問題点を解消し、課題を解決するためになされたものであり、複数方向に異なる表示出力を行なう場合に文字などの欠けや潰れを防止する表示装置を提供することを目的とする。
【課題を解決するための手段】
【０００９】
上述した課題を解決し、目的を達成するため、請求項１の発明に係る表示装置は、表示出力を行なう表示装置であって、複数方向にそれぞれ異なる表示出力を行なう表示処理手段と、前記表示出力から抽出された特定の情報の出力態様を変更する特定情報処理手段と、を備えたことを特徴とする。
【００１０】
この請求項１の発明によれば表示装置は、複数方向にそれぞれ異なる表示出力を行なう場合に、表示出力から抽出された特定の情報の出力態様を変更する。
【００１１】
また、請求項２の発明に係る表示装置は、請求項１の発明において、前記特定の情報は文字情報であることを特徴とする。
【００１２】
この請求項２の発明によれば表示装置は、複数方向にそれぞれ異なる表示出力を行なう場合に、表示出力から抽出された文字情報の出力態様を変更する。
【００１３】
また、請求項３の発明に係る表示装置は、請求項２の発明において、前記特定情報処理手段は、予め抽出された文字情報を取得することを特徴とする。
【００１４】
この請求項３の発明によれば表示装置は、複数方向にそれぞれ異なる表示出力を行なう場合に、表示出力から予め抽出された文字情報の出力態様を変更する。
【００１５】
また、請求項４の発明に係る表示装置は、請求項２または３の発明において、前記特定情報処理手段は、表示出力から画像処理によって文字情報を抽出することを特徴とする。
【００１６】
この請求項４の発明によれば表示装置は、複数方向にそれぞれ異なる表示出力を行なう場合に、表示出力から画像処理によって抽出した文字情報の出力態様を変更する。
【００１７】
また、請求項５の発明に係る表示装置は、請求項２，３または４の発明において、前記特定情報処理手段は、前記文字情報を専用フォントによって出力することを特徴とする。
【００１８】
この請求項５の発明によれば表示装置は、複数方向にそれぞれ異なる表示出力を行なう場合に、表示出力から抽出された文字情報を専用フォントによって出力する。
【００１９】
また、請求項６の発明に係る表示装置は、請求項５の発明において、前記特定情報処理手段は、表示出力に含まれる文字情報について常に専用フォントによる出力を行なうことを特徴とする。
【００２０】
この請求項６の発明によれば表示装置は、表示出力に含まれる文字情報を抽出し、常に専用フォントに変更して出力する。
【００２１】
また、請求項７の発明に係る表示装置は、請求項５の発明において、前記特定情報処理手段は、前記表示処理手段が複数方向にそれぞれ異なる表示出力を行なう場合に前記専用フォントによって前記文字情報を出力し、前記表示処理手段が単一の表示出力を行なう場合には通常のフォントによって前記文字情報を出力することを特徴とする。
【００２２】
この請求項７の発明によれば表示装置は、複数方向にそれぞれ異なる表示出力を行なう場合に文字情報を専用フォントによって出力し、単一の表示出力を行なう場合は通常のフォントによって文字情報を出力する。
【００２３】
また、請求項８の発明に係る表示装置は、請求項２〜７のいずれか一つの発明において、前記特定情報処理手段は、前記文字情報を音声によって出力することを特徴とする。
【００２４】
この請求項８の発明によれば表示装置は、複数方向にそれぞれ異なる表示出力を行なう場合に、表示出力から抽出された文字情報を音声によって出力する。
【００２５】
また、請求項９の発明に係る表示装置は、請求項１〜８のいずれか一つの発明において、前記特定情報処理手段は、前記特定の情報の縦横比を変化させることを特徴とする。
【００２６】
この請求項９の発明によれば表示装置は、複数方向にそれぞれ異なる表示出力を行なう場合に、表示出力から抽出された特定の情報の縦横比を変化させる。
【００２７】
また、請求項１０の発明に係る表示装置は、請求項１〜９のいずれか一つの発明において、前記特定情報処理手段は、前記特定の情報のうち、重要度の高い情報を選択的に表示することを特徴とする。
【００２８】
この請求項１０の発明によれば表示装置は、複数方向にそれぞれ異なる表示出力を行なう場合に、表示出力から抽出された特定の情報のうち、重要度の高い情報を選択的に、出力態様を変更して表示する。
【００２９】
また、請求項１１の発明に係る表示装置は、請求項１０の発明において、前記特定情報処理手段は、経路案内に関連するキーワードおよび／または車両に関連するキーワードを重要度の高い情報とすることを特徴とする。
【００３０】
この請求項１１の発明によれば表示装置は、複数方向にそれぞれ異なる表示出力を行なう場合に、表示出力から抽出された文字情報から経路案内や車両に関連するキーワードを含む情報を選択し、出力態様を変更して表示する。
【００３１】
また、請求項１２の発明に係る表示装置は、請求項１〜１１のいずれか一つの発明において、前記特定情報処理手段は、前記特定の情報を所定表示領域の範囲内で表示することを特徴とする。
【００３２】
この請求項１２の発明によれば表示装置は、複数方向にそれぞれ異なる表示出力を行なう場合に、表示出力から抽出された特定の情報の出力態様を変更し、所定表示領域の範囲内で表示する。
【００３３】
また、請求項１３の発明に係る表示装置は、請求項１〜１２のいずれか一つの発明において、前記特定情報処理手段は、前記特定の情報を専用の表示器に表示することを特徴とする。
【００３４】
この請求項１３の発明によれば表示装置は、複数方向にそれぞれ異なる表示出力を行なう場合に、表示出力から抽出された特定の情報を専用の表示器に表示する。
【００３５】
また、請求項１４の発明に係る表示装置は、請求項１〜１３のいずれか一つの発明において、前記特定情報処理手段は、他の機器が表示を要求した割り込み表示要求に対して前記出力態様の変更を実行することを特徴とする。
【００３６】
この請求項１４の発明によれば表示装置は、複数方向にそれぞれ異なる表示出力を行なう場合に、他の機器からの割り込み要求に基づく表示の出力態様を変更する。
【００３７】
また、請求項１５の発明に係る表示装置は、請求項１４の発明において、前記特定情報処理手段は、前記割り込み表示要求を関連する方向にのみ出力することを特徴とする。
【００３８】
この請求項１５の発明によれば表示装置は、複数方向にそれぞれ異なる表示出力を行なう場合に、他の機器からの割り込み要求に基づく表示の出力態様を変更して関連する方向にのみ表示する。
【００３９】
また、請求項１６の発明に係る表示装置は、請求項１〜１５のいずれか一つの発明において、車両に搭載され、運転席方向を含む複数方向にそれぞれ異なる表示出力を行なうことを特徴とする。
【００４０】
この請求項１６の発明によれば、表示装置は車両に搭載され、運転者や他の乗員に対して個別の表示出力を行なう。
【発明の効果】
【００４１】
請求項１の発明によれば表示装置は、複数方向にそれぞれ異なる表示出力を行なう場合に、表示出力から抽出された特定の情報の出力態様を変更するので、微細な形状の欠け（潰れ）の発生に対処可能な表示装置を得ることができるという効果を奏する。
【００４２】
また、請求項２の発明によれば表示装置は、複数方向にそれぞれ異なる表示出力を行なう場合に、表示出力から抽出された文字情報の出力態様を変更するので、文字の欠け（潰れ）の発生に対処可能な表示装置を得ることができるという効果を奏する。
【００４３】
また、請求項３の発明によれば表示装置は、複数方向にそれぞれ異なる表示出力を行なう場合に、表示出力から予め抽出された文字情報の出力態様を変更するので、予め抽出された文字についてその欠け（潰れ）の発生に対処可能な表示装置を得ることができるという効果を奏する。
【００４４】
また、請求項４の発明によれば表示装置は、複数方向にそれぞれ異なる表示出力を行なう場合に、表示出力から画像処理によって抽出した文字情報の出力態様を変更するので、表示出力内の文字を自動的に抽出し、その欠け（潰れ）の発生に対処可能な表示装置を得ることができるという効果を奏する。
【００４５】
また、請求項５の発明によれば表示装置は、複数方向にそれぞれ異なる表示出力を行なう場合に、表示出力から抽出された文字情報を専用フォントによって出力するので、文字の欠け（潰れ）の発生を防止可能な表示装置を得ることができるという効果を奏する。
【００４６】
また、請求項６の発明によれば表示装置は、表示出力に含まれる文字情報を抽出し、常に専用フォントに変更して出力するので、文字の欠け（潰れ）の発生を簡易に防止可能な表示装置を得ることができるという効果を奏する。
【００４７】
また、請求項７の発明によれば表示装置は、複数方向にそれぞれ異なる表示出力を行なう場合に文字情報を専用フォントによって出力し、単一の表示出力を行なう場合は通常のフォントによって文字情報を出力するので、必要に応じて文字の欠け（潰れ）を防止する表示装置を得ることができるという効果を奏する。
【００４８】
また、請求項８の発明によれば表示装置は、複数方向にそれぞれ異なる表示出力を行なう場合に、表示出力から抽出された文字情報を音声によって出力するので、文字情報を確実に伝達する表示装置を得ることができるという効果を奏する。
【００４９】
また、請求項９の発明によれば表示装置は、複数方向にそれぞれ異なる表示出力を行なう場合に、表示出力から抽出された特定の情報の縦横比を変化させるので、文字の欠け（潰れ）の発生を防止する表示装置を得ることができるという効果を奏する。
【００５０】
また、請求項１０の発明によれば表示装置は、複数方向にそれぞれ異なる表示出力を行なう場合に、表示出力から抽出された特定の情報のうち、重要度の高い情報を選択的に、出力態様を変更して表示するので、文字欠け（潰れ）の発生を防止し、必要な情報を効果的に伝達する表示装置を得ることができるという効果を奏する。
【００５１】
また、請求項１１の発明によれば表示装置は、複数方向にそれぞれ異なる表示出力を行なう場合に、表示出力から抽出された文字情報から経路案内や車両に関連するキーワードを含む情報を選択し、出力態様を変更して表示するので、文字欠け（潰れ）の発生を防止し、必要な情報を的確に選択して伝達する表示装置を得ることができるという効果を奏する。
【００５２】
また、請求項１２の発明によれば表示装置は、複数方向にそれぞれ異なる表示出力を行なう場合に、表示出力から抽出された特定の情報の出力態様を変更し、所定表示領域の範囲内で表示するので、かつ他の表示を阻害することなく微細な形状の欠け（潰れ）の発生を防止する表示装置を得ることができるという効果を奏する。
【００５３】
また、請求項１３の発明によれば表示装置は、複数方向にそれぞれ異なる表示出力を行なう場合に、表示出力から抽出された特定の情報を専用の表示器に表示するので、微細な形状の欠け（潰れ）の発生に対処可能な表示装置を得ることができるという効果を奏する。
【００５４】
また、請求項１４の発明によれば表示装置は、複数方向にそれぞれ異なる表示出力を行なう場合に、他の機器からの割り込み要求に基づく表示の出力態様を変更するので、他の車載機器からの情報についても微細な形状の欠け（潰れ）の発生に対処可能な表示装置を得ることができるという効果を奏する。
【００５５】
また、請求項１５の発明によれば表示装置は、複数方向にそれぞれ異なる表示出力を行なう場合に、他の機器からの割り込み要求に基づく表示の出力態様を変更して関連する方向にのみ表示するので、他の機器からの情報についても微細な形状の欠け（潰れ）の発生に適切に対処する表示装置を得ることができるという効果を奏する。
【００５６】
また、請求項１６の発明によれば表示装置は、車両に搭載され、運転者や他の乗員に対して個別の表示出力を行なうので、微細な形状の欠け（潰れ）の発生に対処可能な車載用の表示装置を得ることができるという効果を奏する。
【発明を実施するための最良の形態】
【００５７】
以下に添付図面を参照して、この発明に係る表示装置の好適な実施の形態である車載装置について詳細に説明する。
【実施例】
【００５８】
図１は、本発明の実施例である車載装置１の概要構成を示す概要構成図である。同図に示すように、車載装置１は、その内部に主制御部１１、ナビゲーションユニット１２、ＡＶ（オーディオ・ビジュアル）ユニット１３、操作入力受付部２１、車速センサ２２、変速機構状態検知部２３、ブレーキ状態検知部２４、表示処理部３１、音声処理部３２、文字データ処理部３３、ディスプレイ４１、スピーカ４２およびサブディスプレイ４３を有する。
【００５９】
操作入力受付部２１は、スイッチやタッチパネルなどを用いた乗員からの操作入力を受け付ける処理部である。そして、車速センサ２２は、自車両のタイヤ回転速度などから自車両の走行速度を検知するセンサであり、変速機構状態検知部２３は、自車両の変速機構の状態を取得するセンサである。また、ブレーキ状態検知部２４は、自車両の制動機構の動作状態を検知するセンサである。
【００６０】
ナビゲーションユニット１２は、自車両の走行経路の設定および誘導を行なうユニットである。具体的には、ナビゲーションユニット１２は、ＧＰＳ（Global Positioning System）によって自車両の現在位置を取得し、地図データを用いて自車両が走行している道路を特定し、ディスプレイ４１やスピーカ４２を用いて経路誘導を実行する。
【００６１】
ＡＶユニット１３は、ラジオ放送、テレビ放送などの受信によって取得したコンテンツデータやＣＤ、ＤＶＤ、ＨＤなどの記録媒体から読み出したコンテンツデータを車両の乗員に提供するユニットである。ここでは、ＡＶユニット１３は、その内部にオーディオ機能１３ａ、ＤＶＤ再生機能１３ｂ、テレビ受信機能１３ｃを備えている。
【００６２】
主制御部１１は、車載装置１を全体制御する制御部であり、操作入力受付部２１、車速センサ、変速機状態検知部２３、ブレーキ状態検知部２４からの入力を受けてナビゲーションユニット１２およびＡＶユニット１３の動作を制御する。
【００６３】
また、主制御部１１は、その内部に運転者用入出力制御部１１ａ、および非運転者用入出力制御部１１ｂを有する。運転者用入出力制御部１１ａは、運転者からの操作入力の受け付けおよび運転者への出力を制御する制御部であり、非運転者用入出力制御部１１ｂは非運転者（本実施例では助手席に座った乗員）からの操作入力の受け付けおよび非運転者への出力を制御する制御部である。
【００６４】
ここで、運転者用入出力制御部１１ａによる運転者への表示出力と非運転者用入出力制御部１１ｂによる非運転者（助手席の乗員）への表示出力とは、単一のディスプレイ４１によって同時に実行する。
【００６５】
単一のディスプレイ４１に運転者用の画面（運転者用表示出力）と非運転者用の画面（非運転者用表示出力）とを同時に表示する場合、図２−１に示したように表示画面を分割してそれぞれの画面を表示することとすると各表示画面が小さくなるので、図２−２に示すように乗員の視線方向の差を利用し、複数の画面を重ねて表示することが望ましい。
【００６６】
複数の画面を重ねる場合、具体的には、図３に示すように運転席側表示と助手席側表示をそれぞれ微細な縦スリットに分割して交互に並べ、視差によって運転者からは運転席側表示のみが視認でき、助手席の乗員からは助手席側表示のみが視認できるようにフィルターをかける。
【００６７】
このようにディスプレイ４１の表示素子を運転者用表示出力と非運転者用表示出力とに振り分けて表示を行なうこととすると、各表示出力の横方向の解像度はディスプレイ全体の２分の１ずつまで低下するので形状の欠け（潰れ）が発生し、文字などの微細な形状が重要な情報について、運転者による認識が困難となる場合がある。
【００６８】
そこで、車載装置１では、表示出力から文字情報を抽出し、文字情報に対して出力態様の変更を実施することで文字情報を確実に伝達可能とする。
【００６９】
具体的には、運転者用入出力制御部１１ａおよび非運転者用入出力制御部１１ｂからの出力のうち、表示出力部分は表示処理部３１によって処理され、音声出力部分は音声処理部３２によって処理される。そして、表示出力内の文字情報に関する部分は、文字情報処理部３３によって処理される。
【００７０】
なお、表示出力内の文字情報が予め抽出されているならば、主制御部１１はその文字情報を直接文字情報処理部３３に出力する。一方、表示出力内の文字情報が予め抽出されていない場合、表示処理部３１が画像処理によって文字情報を抽出し、文字情報処理部３３に出力する。
【００７１】
表示処理部３１は、その内部に運転席側表示処理部３１ａおよび助手席側表示処理部３１ｂを有する。運転席側表示処理部３１ａは、運転席側に対して表示する出力の内容を作成する。また、必要に応じて作成した運転席側表示の内部における文字情報を抽出し、文字情報処理部３３に出力する。
【００７２】
同様に助手席側表示処理部３１ｂは、助手席側に対して表示する出力の内容を作成する。また、必要に応じて作成した助手席側表示の内部における文字情報を抽出し、文字情報処理部３３に出力する。
【００７３】
つぎに文字情報処理部３３による処理について、具体例を挙げて説明する。文字情報処理部３３による処理（出力態様の変更）には、「表示形状の変更」、「表示手段の変更」、「音声による出力」などを使用することができる。
【００７４】
「表示手段の変更」を使用する場合、文字情報処理部３３は、文字情報をサブディスプレイ４３に表示する。そのため、ディスプレイ４１に表示した文字の形状が欠けたり、潰れたとしても、運転者はサブディスプレイ４３を確認することで文字情報の示す内容を確認することができる。
【００７５】
同様に「音声による出力」を利用する場合、文字情報処理部３３は、文字情報に示された内容を音声によって読み上げ、スピーカ４２から出力する。したがって、ディスプレイ４１に表示した文字の形状が欠けたり潰れたとしても、音声によって文字情報の示す内容を確認することができる。
【００７６】
そして「表示形状の変更」では、例えば図４に示すように文字の縦横比を変更（同図では横２倍）して表示する、もしくは専用のフォントセットを用いて表示することで、文字の形状の欠け（潰れ）を防止し、文字情報を確実に伝達可能とすることができる。
【００７７】
ここで、専用フォントの利用は複数方向にそれぞれ異なる表示出力を行なう場合にのみ行ない、ディスプレイ４１が単一の表示出力を行なう場合（運転席側表示処理部３１ａと助手席側表示処理部３１ｂとが作成する表示出力か同一である場合）には通常のフォントを用いることとしてもよいし、単一の表示出力を行なうか複数の表示出力を行なうかに関わらず常に専用フォントを使用することとしてもよい。
【００７８】
また、文字の縦横比を変更する場合には、文字が横方向に大きくなることによって表示可能な文字数が減少する。そこで、文字情報処理部３３は、文字によって示された情報のうち、重要度の高い情報を選択的に表示する。この重要度は、例えば経路案内に関連するキーワード（信号、交差点、右折、左折、など）や車両に関連するキーワード（ガソリン、エンジン、タイヤなど）に対して高く設定すれば良い。
【００７９】
このように重要度による選択を行なうことで、表示が必要な文字数を減少させ、所定の表示領域の範囲内、例えば予め文字表示に割り当てられた領域や表示に使用されていない余剰表示領域の範囲内で必要な情報を伝達することができる。
【００８０】
さらに、表示が必要な文字数が多く、所定の表示領域の範囲内での表示が不可能である場合には、所定の場所（例えば句読点）で区切って改行して表示すればよい。また、縦横比を横２倍から横１．５倍にするなど、ある程度の間引きを行なって所定の表示領域内に表示するようにしてもよい。
【００８１】
なお、余剰表示領域は、例えばＤＶＤ再生機能１３ｂによって再生される映像の縦横比が、使用可能な表示領域の縦横比と異なる場合などに発生する。この余剰表示領域は、図５に示すように、通常は画面表示領域の周辺に均等に（同図では上下に均等に）配置することが一般的であるが、文字情報の表示に使用する場合には纏めて（同図では下側に纏めて）表示することが望ましい。
【００８２】
また、車載装置１は、他の車載機器からの割り込み表示要求、例えばＶＩＣＳ（Vehicle Information and Communication System）によって取得した渋滞情報などをディスプレイ４１に表示する場合があるが、このような他の車載機器が表示を要求した割り込み表示要求に対しても文字情報処理部３３による出力態様の変更を適用することができる。
【００８３】
なお、割り込み表示要求は、複数の表示方向の全てに出力する必要があるとは限らない。例えば、渋滞情報などの運転に関する情報については運転者にのみ表示すれば足りる。同様に、走行中における娯楽関係の情報は助手席のみに表示すれば足りる。そこで、表示内容に関連する方向にのみ割り込み要求による表示を実行するとともに、文字情報処理部３３による処理を施す。
【００８４】
つづいて、車載装置１の処理動作について図６のフローチャートを参照して説明する。同図に示す処理フローは、主制御部１１が表示出力を行なう場合に開始される。処理が開始されると、まず車載装置１は表示出力から文字を抽出する（ステップＳ１０１）。この文字の抽出は既に述べたように文字情報が予め別データとして抽出されている場合にはそのまま利用することができ、また、表示出力から画像処理によって抽出することもできる。
【００８５】
そして、表示出力に文字が含まれて居なければ（ステップＳ１０２，Ｎｏ）通常の出力を実行し（ステップＳ１０３）、表示出力に文字が含まれているならば（ステップＳ１０２，Ｙｅｓ）文字情報処理部３３による文字情報補正処理、すなわち文字情報の出力態様の変更処理を実行して（ステップＳ１０４）、処理を終了する。
【００８６】
上述してきたように、本実施例にかかる車載装置１では、運転者用入出力制御部１１ａが作成した表示出力を運転席側に、非運転者用入出力制御部１１ｂが作成した表示出力を助手席側にそれぞれ出力する場合に、表示出力における文字情報を抽出し、その出力態様を変更することで、文字情報か示す内容を確実に伝達する。
【００８７】
なお、本実施例では、出力態様の変更例としてフォントの変更、縦横比の変更、表示手段の変更、音声による読み上げを全て実行可能な構成を例示したが、これらの一部のみを使用する構成で本発明を実施しても良い。
【００８８】
また、本実施例では微細な形状が重要な情報として文字情報を例に説明を行ったが、例えば経路案内に使用する図案などにも本発明を適用することができる。
【産業上の利用可能性】
【００８９】
以上のように、本発明にかかる表示装置は、複数方向への異なる表示出力に有用であり、特に文字欠けや潰れの対策に適している。
【図面の簡単な説明】
【００９０】
【図１】本発明の実施例である車載装置の概要構成を示す概要構成図である。
【図２−１】運転者用の画面と非運転者用の画面とをディスプレイを分割して表示する方法について説明する説明図である。
【図２−２】運転者用の画面と非運転者用の画面とを重ねて表示する方法について説明する説明図である。
【図３】複数の画面を重ねる場合の表示出力について説明する説明図である。
【図４】文字情報の表示形状の変更について説明する説明図である。
【図５】余剰表示領域について説明する説明図である。
【図６】車載装置１の処理動作を説明するフローチャートである。
【符号の説明】
【００９１】
１    車載装置
１１    主制御部
１１ａ  運転者用入出力制御部
１１ｂ  非運転者用入出力制御部
１２    ナビゲーションユニット
１３    ＡＶユニット
１３ａ  オーディオ機能
１３ｂ  ＤＶＤ再生機能
１３ｃ  テレビ受信機能
２１    操作入力受付部
２２    車速センサ
２３    変速機構状態検知部
２４    ブレーキ状態検知部
３１    表示処理部
３１ａ  運転席側表示処理部
３１ｂ  助手席側表示処理部
３２    音声処理部
３３    文字情報処理部
４１    ディスプレイ
４２    スピーカ
４３    サブディスプレイ
【図１】
2006267437.tif 000003
【図２−１】
2006267437.tif 000004
【図２−２】
2006267437.tif 000005
【図３】
2006267437.tif 000006
【図４】
2006267437.tif 000007
【図５】
2006267437.tif 000008
【図６】
2006267437.tif 000009